(57)【要約】【課題】  マイクロホンカプセルと出力モジュール部とがマイクコードにて接続されているコンデンサマイクロホンにおいて、携帯電話機などから発生される強い電磁波がマイクコードを伝わって出力モジュール部内に入り込むのを確実に防止する。【解決手段】  コンデンサマイクユニット１２およびインピーダンス変換器１３を含むマイクロホンカプセル１０と、シールドケース２１内に音声出力回路を含む回路基板２２を収納してなる出力モジュール部２０とを２芯シールド被覆線からなるマイクコード３０を介して接続してなるコンデンサマイクロホンにおいて、マイクコード３０のシールド被覆線３３をシールドケース２１に接続するとともに、シールド被覆線３３を高周波チョークコイル５１を介して回路基板２２の接地回路にも接続する。【選択図】  図１
2005333183.tif 000002
【特許請求の範囲】
【請求項１】
コンデンサマイクユニットおよびそのインピーダンス変換器を含むマイクロホンカプセルと、シールドケース内に音声出力回路を含む回路基板を収納してなる出力モジュール部とが２芯シールド被覆線からなるマイクコードを介して接続されているコンデンサマイクロホンにおいて、
上記マイクコードのシールド被覆線が上記シールドケースに接続されるとともに、上記シールド被覆線が高周波チョークコイルを介して上記回路基板の接地回路にも接続されることを特徴とするコンデンサマイクロホン。
【請求項２】
上記シールドケースには接地ピンと２つの信号ピンとを含み外部電源と接続される出力コネクタが設けられており、上記接地ピンが上記シールドケースに接続されるとともに、上記接地ピンは高周波チョークコイルを介して上記回路基板の接地回路にも接続されることを特徴とする請求項１に記載のコンデンサマイクロホン。
【発明の詳細な説明】
【技術分野】
【０００１】
本発明はマイクロホンカプセルと出力モジュール部とが専用のマイクコードにて接続されているコンデンサマイクロホンに関し、さらに詳しく言えば、携帯電話機などから発生される電磁波がマイクコードを伝わって出力モジュール部内に入り込むのを防止する技術に関するものである。
【背景技術】
【０００２】
コンデンサマイクロホンのうち会議用のグースネック型マイクロホンや衣服などに取り付けて使用されるタイピン型マイクロホンなどでは、図２に示すようにマイクロホンカプセル１０と出力モジュール部２０とが分離して構成され、それらは専用のマイクコード３０を介して接続される。
【０００３】
マイクロホンカプセル１０は例えばアルミニウムからなるカプセルケース１１を備え、カプセルケース１１をシールドケースとして、その内部には図示しない振動板と固定極とを含むコンデンサマイクユニット１２とＦＥＴ（電界効果トランジスタ）を含むインピーダンス変換器１３とが収納されている。
【０００４】
出力モジュール部２０は導電性材料（例えば黄銅合金）からなる筒状のシールドケース２１を備え、シールドケース２１内には回路基板２２と出力コネクタ２３とが収納されている。図示しないが回路基板２２はトランスやローカットフィルタ回路それに増幅回路などを含む音声出力部品が実装されている。なお、出力モジュール部２０はパワーモジュール部と呼ばれることもある。
【０００５】
コンデンサマイクロホンにおいては、通常、出力コネクタ２３にはＥＩＡＪ  ＲＣ５２３６「音響用ラッチロック式丸形コネクタ」に規定されている３ピンタイプの出力コネクタが用いられる。すなわち、出力コネクタ２３は接地用（シールド用）の１番ピン，信号のホット側として用いられる２番ピン，信号のコールド側として用いられる３番ピンを備え、平衡シールドケーブル４０を介して図示しないファントム電源に接続される。なお、図中の参照符号「１」「２」「３」は１番ピン，２番ピン，３番ピンに対応している。
【０００６】
マイクコード３０には、電源をマイクロホンカプセル１０に供給する電源線３１と、インピーダンス変換器１３から出力される音声信号を回路基板２２の音声出力回路に送る信号線３２と、これら電源線３１および信号線３２を静電遮蔽し接地に落とされるシールド被覆線３３とを含む２芯シールド被覆線が用いられる。
【０００７】
このうちのシールド被覆線３３は、マイクロホンカプセル１０側においてはカプセルケース１１に接続され、出力モジュール部２０の信号入力側においてはシールドケース２１と回路基板２２の図示しない接地回路とに接続される。また、出力モジュール部２０の信号出力側において出力コネクタ２３の接地用の１番ピンはシールド被覆線３３と同じくシールドケース２１と回路基板２２の接地回路とに接続される。
【０００８】
ところで、マイクコード３０やファントム電源側の平衡シールドケーブル４０に強い電磁波が加えられると、その電磁波による高周波電流がシールドケース２１内に入り込み、シールドケース２１と回路基板２２との間に存在する浮遊容量Ｃを介して上記高周波電流によるループ電流路が形成され、これが原因で雑音が発生することがある。
【０００９】
近年、携帯電話機が急速に普及しているが、マイクロホン近傍で携帯電話機が使用された場合かなり強い電磁波（例えば、数ｃｍ〜数１０ｃｍ程度の範囲内では商用電波により市中で生じている電界強度の数万倍に達する電界強度）を受けるため、マイクロホンの分野では携帯電話機対策が急務とされている。
【００１０】
その対策の一つの方法として、非特許文献１にはマイクケース（シールドケース）内に収納されている電子回路のグランドをマイクケースに配線にて接続するとともに、出力コネクタに含まれている接地用の１番ピンをマイクケースに直結する方法が提案されている。この非特許文献１の技術を図２の従来例に適用すると図３に示す回路構成となる。
【００１１】
【非特許文献１】Ｊｉｍ  Ｂｒｏｗｎ，Ｄａｖｉｄ  Ｊｏｓｅｐｈｓｏｎ共著「Ｒａｄｉｏ  Ｆｒｅｑｕｅｎｃｙ  Ｓｕｓｃｅｐｔｉｂｉｌｉｔｙ  ｏｆ  Ｃａｐａｃｉｔｏｒ  Ｍｉｃｒｏｐｈｏｎｅｓ」  Ａｕｄｉｏ  Ｅｎｇｉｎｅｅｒｉｎｇ  Ｓｏｃｉｅｔｙ  Ｃｏｎｖｅｎｔｉｏｎ  Ｐａｐｅｒ  ５７２０（ｐ１２，図８）
【発明の開示】
【発明が解決しようとする課題】
【００１２】
上記非特許文献１に記載の方法によれば、電子回路（回路基板２２）とマイクケース（シールドケース２１）との間の浮遊容量Ｃによるループ電流路が形成されず、また、接地用の１番ピンから電子回路のグランド（接地回路）に接続される配線、すなわちアンテナとして作用するものがないため、ファントム電源側の平衡シールドケーブル４０側からの電磁波についてはその侵入を効果的に防止することができる。
【００１３】
しかしながら、非特許文献１に記載の方法による場合、接地用の１番ピンがマイクケースに直結されているためファントム電源を用いるとマイクケースに電流が流れる。したがって、接地用の１番ピンがなんらかの原因でマイクケースから外れてしまうと、マイクケースの電位が４８Ｖファントム電源の場合には３０Ｖ以上になってしまいマイクケースに手を触れると感電する危険がある。
【００１４】
そればかりでなく、図２のマイクロホンカプセル１０と出力モジュール部２０とをマイクコード３０を介して接続するコンデンサマイクロホンにおいては、上記非特許文献１の技術を適用したとしても、図３に示すようにマイクコード３０側から出力モジュール部２０内に侵入する電磁波については阻止することができない。
【００１５】
したがって、本発明が解決しようとする課題は、マイクロホンカプセルと出力モジュール部とが専用のマイクコードにて接続されているコンデンサマイクロホンにおいて、携帯電話機などから発生される強い電磁波がマイクコードを伝わって出力モジュール部内に入り込むのを確実に防止することにある。
【課題を解決するための手段】
【００１６】
上記課題を解決するため、本願の請求項１に記載の発明は、コンデンサマイクユニットおよびそのインピーダンス変換器を含むマイクロホンカプセルと、シールドケース内に音声出力回路を含む回路基板を収納してなる出力モジュール部とが２芯シールド被覆線からなるマイクコードを介して接続されているコンデンサマイクロホンにおいて、上記マイクコードのシールド被覆線が上記シールドケースに接続されるとともに、上記シールド被覆線が高周波チョークコイルを介して上記回路基板の接地回路にも接続されることを特徴としている。
【００１７】
また、本願の請求項２に記載の発明は、上記請求項１において、上記シールドケースには接地ピンと２つの信号ピンとを含み外部電源と接続される出力コネクタが設けられており、上記接地ピンが上記シールドケースに接続されるとともに、上記接地ピンは高周波チョークコイルを介して上記回路基板の接地回路にも接続されることを特徴としている。
【発明の効果】
【００１８】
請求項１に記載の発明によれば、マイクコードのシールド被覆線が出力モジュール部のシールドケースに接続されるとともに、シールドケース内に収納されている回路基板の接地回路に対しては高周波チョークコイルを介して接続されるため、マイクコードに加えられた強い電磁波は回路基板側には入り込まずシールドケースの外表面に沿って流れる。したがって、たとえ携帯電話機が直近で使用されたとしてもその強い電磁波による雑音の発生が防止される。
【００１９】
請求項２に記載の発明によれば、出力コネクタの接地ピン（１番ピン）が上記マイクコードのシールド被覆線と同じく出力モジュール部のシールドケースに接続されるとともに、シールドケース内に収納されている回路基板の接地回路に対しては高周波チョークコイルを介して接続されるため、出力コネクタに接続されるケーブル側からの電磁波の侵入も阻止できる。
【００２０】
また、直流的は接地ピンが回路基板の接地回路に接続されるため、例えば外部電源としてファントム電源を使用する場合、たとえ接地ピンがシールドケースから外れたとしてもシールドケースの電位が上昇することがなく感電する危険性もない。
【発明を実施するための最良の形態】
【００２１】
次に、図１により本発明の実施形態について説明する。図１は本発明のコンデンサマイクロホンに含まれるマイクロホンカプセルと出力モジュール部とをマイクコードで接続した状態を示す模式図である。この実施形態の説明において、先の図２により説明した従来例と同じであってよい構成要素にはその参照符号をそのまま用いている。
【００２２】
本発明のコンデンサマイクロホンは、マイクロホンカプセル１０と出力モジュール部２０とが分離して構成され、それらをマイクコード３０にて接続してなるマイクロホンで、例えばグースネック型マイクロホンやタイピン型マイクロホンなどとして使用される。
【００２３】
マイクロホンカプセル１０は、例えばアルミニウム材からなるカプセルケース１１を有し、カプセルケース１１内には振動板と固定極とを対向的に配置してなるコンデンサマイクユニット１２と、そのインピーダンス変換器１３とを含む構成であってよい。コンデンサマイクユニット１２はエレクトレット型，非エレクトレット型のいずれでもよい。このように、本発明においてマイクロホンカプセル１０には公知のものを使用できる。
【００２４】
出力モジュール部２０は黄銅合金などの導電性金属材からなる筒状のシールドケース２１を備えている。シールドケース２１内には回路基板２２が収納される。図示しないが、回路基板２２にはトランスやローカットフィルタ回路それに増幅回路などを含む音声出力部品が実装され、接地回路（グランド）も形成されている。
【００２５】
また、シールドケース２１には出力コネクタ２３が装着される。出力コネクタ２３は接地用の１番ピン「１」，信号のホット側の２番ピン「２」および信号のコールド側の３番ピン「３」を有する３ピンタイプの出力コネクタで、平衡シールドケーブル４０を介して図示しないファントム電源に接続される。
【００２６】
マイクコード３０には先に説明した従来例と同じく、電源をマイクロホンカプセル１０に供給する電源線３１と、インピーダンス変換器１３から出力される音声信号を回路基板２２の音声出力回路に送る信号線３２と、これら電源線３１および信号線３２を静電遮蔽し接地に落とされるシールド被覆線３３とを含む２芯シールド被覆線が用いられてよい。
【００２７】
このうちのシールド被覆線３３について説明すると、シールド被覆線３３の一端側はマイクロホンカプセル１０のカプセルケース１１に接続され、その他端側は出力モジュール部２０のシールドケース２１に接続される。その接続方法は任意に選択されてよい。
【００２８】
本発明において重要な点はシールド被覆線３３の他端側をインダクタ素子である高周波チョークコイル５１を介して回路基板２２の接地回路に接続することである。これによれば、例えば携帯電話機がマイクロホン近傍で使用されその強い電磁波がマイクコード３０に加えられたとしても、その電磁波による高周波電流が高周波チョークコイル５１にて阻止され回路基板２２の接地回路に流れ込まずシールドケース２１側に流れることになるため電磁波による雑音の発生が防止される。
【００２９】
同様にして、出力コネクタ２３に含まれている接地用の１番ピンを出力モジュール部２０のシールドケース２１に接続するとともに、接地用の１番ピンを高周波チョークコイル５２を介して回路基板２２の接地回路にも接続するとよい。
【００３０】
これによれば、出力コネクタ２３に接続される平衡シールドケーブル４０側から回路基板２２の接地回路側に侵入しようとする電磁波も高周波チョークコイル５２にて阻止されることになる。
【００３１】
そればかりでなく、接地用の１番ピンは回路基板２２の接地回路に対して直流的に接続されるため、外部電源がファントム電源である場合において、万が一の問題として接地用の１番ピンがシールドケース２１から外れたとしてもシールドケース２１の電位が上昇することがなく感電する危険性もない。
【図面の簡単な説明】
【００３２】
【図１】本発明のコンデンサマイクロホンに含まれるマイクロホンカプセルと出力モジュール部とをマイクコードで接続した状態を示す模式図。
【図２】従来のマイクロホンカプセルと出力モジュール部とをマイクコードで接続してなるコンデンサマイクロホンを示す模式図。
【図３】上記従来のコンデンサマイクロホンに非特許文献１に記載の技術を適用した場合の例を示す模式図。
【符号の説明】
【００３３】
１０  マイクロホンカプセル
１１  カプセルケース
１２  コンデンサマイクユニット
１３  インピーダンス変換器
２０  出力モジュール部
２１  シールドケース
２２  回路基板
２３  出力コネクタ
３０  マイクコード（２芯シールド被覆線）
３３  シールド被覆線
４０  ファントム電源用平衡シールドケーブル
５１，５２  高周波チョークコイル
Ｃ  浮遊容量
【図１】
2005333183.tif 000003
【図２】
2005333183.tif 000004
【図３】
2005333183.tif 000005